(57)【要約】【課題】複雑な機構を備えることなく、スリーブの位置決めを容易に行うことができ、しかも繰り返し使用することができ、それ故にコストの削減に寄与するスリーブ固定治具を提供する。【解決手段】環状に形成された鉄筋から成る補強筋の内部にスリーブを配置し、前記スリーブを結束線で前記補強筋に固定する際に用いられるスリーブ固定治具である。嵌め込まれたスリーブと少なくとも３箇所で内接するスリーブ保持部と、前記スリーブ保持部から外方に延びる複数の補強筋保持部とから成る。前記補強筋保持部は、上面部が補強筋載置部とされ、さらに前記上面部に、前記補強筋載置部に載置された補強筋が内接又は外接するように形成された突出部が補強筋ズレ止め部とされており、前記補強筋載置部は前記スリーブ保持部の上端位置以上の高さに配置されていることを特徴とする。【選択図】図１
2008214926.tif 000002
【特許請求の範囲】
【請求項１】
環状に形成された鉄筋から成る補強筋の内部にスリーブを配置し、前記スリーブを結束線で前記補強筋に固定する際に用いられるスリーブ固定治具であって、
嵌め込まれたスリーブと少なくとも３箇所で内接するスリーブ保持部と、前記スリーブ保持部から外方に延びる複数の補強筋保持部とから成り、
前記補強筋保持部は、上面部が補強筋載置部とされ、さらに前記上面部に、前記補強筋載置部に載置された補強筋が内接又は外接するように形成された突出部が補強筋ズレ止め部とされており、
前記補強筋載置部は前記スリーブ保持部の上端位置以上の高さに配置されていることを特徴とする、スリーブ固定治具。
【請求項２】
スリーブ保持部及び補強筋保持部は、複数枚の嵌合片によって構成されており、
前記嵌合片は横長の長尺板材から成り、上面部の両側に突出部が形成され、上面部若しくは下面部、又はその両側に切り欠き部が形成されてあって、各々の嵌合片の切り欠き部を嵌め合わせて井桁状に分解可能に組み立てられ、
前記複数枚の嵌合片で囲まれた空間がスリーブ保持部とされ、前記嵌合片の前記スリーブ保持部から外方に延びる部分が補強筋載置部とされており、
前記嵌合片の上面部は補強筋載置部とされ、さらに前記上面部の両側に形成された突出部は補強筋ズレ止め部とされていることを特徴とする、請求項１に記載のスリーブ固定治具。
【請求項３】
スリーブ保持部に小径スリーブ用のアダプタが嵌め込まれ、スリーブ保持部は嵌め込まれたスリーブと前記アダプタを介して内接することを特徴とする、請求項１又は請求項２に記載したスリーブ固定治具。
【請求項４】
突出部と所定の間隔を開けて、さらに別の突出部が形成されていることを特徴とする、請求項１又は請求項２に記載したスリーブ固定治具。
【請求項５】
切り欠き部は、スリーブ保持部の内法寸法を多段階に設定し得るように、複数組形成されていることを特徴とする、請求項１〜請求項３のいずれか１項に記載したスリーブ固定治具。
【発明の詳細な説明】
【技術分野】
【０００１】
この発明は、スリーブ固定治具の技術分野に属し、更に云うと、スリーブを補強筋の内部の所定の位置に簡易、迅速に固定するスリーブ固定治具に関する。
【背景技術】
【０００２】
鉄筋コンクリート造の壁、梁、基礎スラブ等に配管、配線用の貫通穴を設ける場合、硬化したコンクリートに穴を形成することは容易ではなく、また鉄筋を切断する虞もあるので、コンクリート打設前に所定の位置にスリーブを埋設することで、貫通穴を形成している。
【０００３】
この際、貫通穴は断面欠損部となるので、所望の強度を得られるように、貫通穴周辺に補強筋を配筋し補強するのが一般的であり、前記補強筋は、施工性を高めるためにロ字形状、円形状等の環状に形成されているが、環状の補強筋の内側に所定のコンクリートかぶり厚が確保されるように精度良くスリーブを配置することが重要である。
【０００４】
従来の一般的なスリーブの配置方法は、スリーブに複数の結束線を巻きつけその端部を放射線状に延ばして補強筋に結束する、というものであるが、作業中にスリーブの位置が安定せず位置合わせに手間が掛かっていた。この問題を解決する為の技術が種々提案されている。
【０００５】
例えば、特許文献１では、環状の補強筋に対し、固定腕を放射状に固定し、固定腕の先端部に取り付けられた進退自在な係止部材やキャップでスリーブを挟持して保持するスリーブ保持手段が提案されている。上記構成によるとスリーブの径に合わせて係止部材を進退させることで異なる径のスリーブに対応可能である。
【０００６】
また、特許文献２では、環状支持バンドでスリーブを支持し、環状支持バンドから放射状に取り付けられた複数本のスポーク体の先端部クリップで環状の補強筋を把握することによって、スリーブを精度良く所定の位置に固定（配置）するスリーブ支持装置が提案されている。上記構成によるとスリーブの配置操作を簡単に行うことができる。
【０００７】
【特許文献１】特開２００４−２２５３２８号公報
【特許文献２】特開２００５−６８８２４号公報
【発明の開示】
【発明が解決しようとする課題】
【０００８】
しかしながら、特許文献１、特許文献２いずれの技術においても、それぞれのスリーブを保持する機構が複雑であり、且つそれらはコンクリート内部に埋め殺され繰り返しの使用が不可能であるため、コストが嵩むという問題がある。
【０００９】
本発明は上記問題を解決し、特に複雑な機構を備えることなく、スリーブの位置決めを容易に行うことができ、しかも繰り返し使用することができ、それ故にコストの削減に寄与するスリーブ固定治具を提供することを目的とする。
【課題を解決するための手段】
【００１０】
上記背景技術の課題を解決するための手段として、請求項１に記載した発明に係るスリーブ固定治具は、
環状に形成された鉄筋から成る補強筋の内部にスリーブを配置し、前記スリーブを結束線で前記補強筋に固定する際に用いられるスリーブ固定治具であって、
嵌め込まれたスリーブと少なくとも３箇所で内接するスリーブ保持部と、前記スリーブ保持部から外方に延びる複数の補強筋保持部とから成り、
前記補強筋保持部は、上面部が補強筋載置部とされ、さらに前記上面部に、前記補強筋載置部に載置された補強筋が内接又は外接するように形成された突出部が補強筋ズレ止め部とされており、
前記補強筋載置部は前記スリーブ保持部の上端位置以上の高さに配置されていることを特徴とする。
【００１１】
請求項２記載の発明は、請求項１に記載のスリーブ固定治具において、
スリーブ保持部及び補強筋保持部は、複数枚の嵌合片によって構成されており、
前記嵌合片は横長の長尺板材から成り、上面部の両側に突出部が形成され、上面部若しくは下面部、又はその両側に切り欠き部が形成されてあって、各々の嵌合片の切り欠き部を嵌め合わせて井桁状に分解可能に組み立てられ、
前記複数枚の嵌合片で囲まれた空間がスリーブ保持部とされ、前記嵌合片の前記スリーブ保持部から外方に延びる部分が補強筋載置部とされており、
前記嵌合片の上面部は補強筋載置部とされ、さらに前記上面部の両側に形成された突出部は補強筋ズレ止め部とされていることを特徴とする。
【００１２】
請求項３記載の発明は、請求項１又は請求項２に記載したスリーブ固定治具において、
スリーブ保持部に小径スリーブ用のアダプタが嵌め込まれ、スリーブ保持部は嵌め込まれたスリーブと前記アダプタを介して内接することを特徴とする。
【００１３】
請求項４記載の発明は、請求項１又は請求項２に記載したスリーブ固定治具において、
突出部と所定の間隔を開けて、さらに別の突出部が形成されていることを特徴とする。
【００１４】
請求項５記載の発明は、請求項１〜請求項３のいずれか１項に記載したスリーブ固定治具において、
切り欠き部は、スリーブ保持部の内法寸法を多段階に設定し得るように、複数組形成されていることを特徴とする。
【発明の効果】
【００１５】
請求項１に記載のスリーブ固定治具によれば、スリーブと共にコンクリート内に埋め殺しにする必要がないので繰り返し使用することができる。しかも、スリーブ固定治具の他に特殊な機構や作業を必要とせず、鉄筋の結束作業に一般的に用いられている結束工具（所謂ハッカー）等を用いて或いは素手で作業ができるのでコストの削減に寄与する。
【００１６】
また、補強筋載置部に載置した補強筋は、スリーブ固定治具を載置した作業面よりも高い位置で浮いた状態となり、結束線によるスリーブの固定は補強筋保持部の間の障害物のない空間を利用して容易に行うことができ、作業効率が向上する。
【００１７】
請求項２に記載のスリーブ固定治具によれば、長尺板状の嵌合片で分解可能な構成としているので未使用時には分解して重ねたり、分散させることができ、収納スペースや運搬の為のスペースを削減することができる。
【００１８】
請求項３に記載のスリーブ固定治具によれば、スリーブ保持部の内部に小径のアダプタを付加することによって、異なる外径のスリーブにも容易に対応することができ、汎用性を高めることができる。
【００１９】
請求項４に記載のスリーブ固定治具によれば、単一の部材構成で異なる大きさの補強筋にも対応することができ、汎用性を高めることができる。
【００２０】
請求項５に記載のスリーブ固定治具によれば、嵌合片に切り欠き部を所定の間隔で複数組形成することで、単一の部材構成で種々の外径のスリーブに対応することができ、汎用性を高めることができる。
【発明を実施するための最良の形態】
【００２１】
以下、本発明に係るスリーブ固定治具の実施形態を図面に基いて説明する。
【００２２】
＜実施形態１＞
本実施形態のスリーブ固定治具１は、環状に形成された鉄筋から成る補強筋２（２ａ、２ｂ）の内部にスリーブ３を配置し、同スリーブ３を結束線４（４ａ、４ｂ）で前記補強筋２に固定する際に好適に用いられる（図１を参照）。なお、本実施形態における補強筋２は正方形状の外周筋２ａと、同外周筋２ａの内部に配置され一体化された八角形状の内周筋２ｂとから成り、住宅の布基礎の立ち上がり部（基礎梁）に設置されるものである。
【００２３】
このスリーブ固定治具１は、嵌め込まれたスリーブ３と少なくとも３箇所（本実施形態では４箇所）で内接するスリーブ保持部５と、前記スリーブ保持部５から外方に延びる複数（本実施形態では８枚）の補強筋保持部６とから成る。
【００２４】
具体的に云うと、スリーブ保持部５及び補強筋保持部６は、２枚の嵌合片７と２枚の嵌合片８によって構成されている（図２を参照）。
【００２５】
嵌合片７は、構造用合板、鋼板、アルミニウム板等の金属板や各種硬質樹脂（エンジニアリング樹脂）などで構成された横長の長尺板材から成り、その高さＨ1（例えば、７３．５ｍｍ、但し、ここで云う高さＨ1は後述する突出部９と９との間の部分の高さである。）はスリーブ３の高さｈよりも低く、幅寸法Ｌ1（例えば、３３９ｍｍ）は外周筋２ａの向かい合う辺相互の間隔（外方寸法）ｌより長く、厚さＴ（例えば、１２ｍｍ）は嵌合片８と組み立てられた際にスリーブ固定治具として十分な強度を発現するように設定されている（図２及図３を参照）。そして、上面部７ａの両側に突出部９が一体的に形成され、下面部７ｂの略中央部分に一組の切り欠き部１０が形成されている。
【００２６】
嵌合片８も、構造用合板、鋼板、アルミニウム板等の金属板や各種硬質樹脂（エンジニアリング樹脂）などで構成された横長の長尺板材から成り、上記嵌合片７とほぼ同形、同大に設定されており、上面部８ａの両側に突出部１１が一体的に形成されている。但し、嵌合片８は上記嵌合片７と良好に嵌め合わせることができるように、前記上面部８ａの略中央部分に一組の切り欠き部１２が形成されている。
【００２７】
突出部９（１１）は、詳細は後述するが、前記嵌合片７、８が組み立てられ、補強筋２が配置された際に、その外周筋２ａと内接し、良好に前記補強筋２の水平方向の移動を拘束することができる大きさ、形状、間隔で、嵌合片７（８）に形成されている。本実施形態では、矩形状の突出部９（１１）が、前記外周筋２ａの向かい合う辺相互の間隔（外方寸法）ｌと略等しい間隔（内方寸法）Ｌ2で形成されており、その高さＨ2（例えば、２０ｍｍ）は外周筋２ａの直径ｒ1よりも高く、幅寸法Ｌ3（例えば、２３ｍｍ）は外周筋２ａを内接させた際に外方に折れ曲がらないように設定されている。
【００２８】
切り欠き部１０（１２）は、嵌合片７、８を井桁状に組み立てることができるように溝形状に形成されており、その高さＨ3（例えば、３７ｍｍ）は嵌合片７（８）の高さＨ1の略半分で、幅寸法Ｌ4（例えば、１２ｍｍ）は嵌合片７（８）の厚みＴと略等しく設定されている。さらに一組の切り欠き部１０（１２）の間隔Ｘは、嵌合片７、８を井桁状に組み立てた際に前記嵌合片７、８で囲まれた空間がスリーブ３と内接するように、前記スリーブ３の外径ｒ2と等しく設定されている。
【００２９】
上記嵌合片７、８は、各々の切り欠き部１０、１２を嵌め合わせて井桁状に分解可能に組み立てられている。その結果、前記４枚の嵌合片７、８で囲まれた中央の空間がスリーブ保持部５とされ、前記嵌合片７、８の前記スリーブ保持部５から外方に延びる部分が補強筋載置部６とされる（図１及び図３を参照）。
【００３０】
このとき、嵌合片７の上面部７ａと嵌合片８の上面部８ａとで平坦面を成し、この平坦面が補強筋載置部１３とされ、上記スリーブ保持部５の上端位置以上の高さ（本実施形態では等しい高さ）に配置されることになる。ちなみに、嵌合片７の下面部７ｂと嵌合片８の下面部８ｂとでも平坦面を成すので、スリーブ３を補強筋２に固定する作業の際に、スリーブ固定治具１を作業面１４に載置しても、安定する。
【００３１】
更に、前記上面部７ａ（８ａ）の両側に形成された突出部９（１１）は、外周筋２ａの二組の向かい合う辺と個々に内接するように配置されており、補強筋ズレ止め部１５とされる（以上、請求項１、２記載の発明）。
【００３２】
上記構成のスリーブ固定治具１を用いたスリーブ固定方法の手順は以下の通りである。
【００３３】
先ず、スリーブ固定治具１を、例えば地面や作業台などの作業面１４に載置する。嵌合片７の下面部７ｂと嵌合片８の下面部８ｂとで平坦面を成しているので、作業面１４に安定して載置される。
【００３４】
次に、スリーブ保持部５にスリーブ３をその下端が作業面１４に達するまで嵌め込む。この状態でスリーブ３の上部はスリーブ保持部５から突出し、スリーブ保持部５の内側の各面に接することでぐらつくことなく保持される。
【００３５】
さらに、スリーブ固定治具１の補強筋載置部１３に補強筋２を載置する。この状態で補強筋ズレ止め部１５により補強筋２の水平方向の移動が拘束される。
【００３６】
そして、スリーブ３の突出部に環状結束線４ａを巻きつけて結束し、更に前記環状結束線４ａから放射状結束線４ｂを嵌合片７と８との間から外方に向かって延ばし補強筋２に到達させて、前記放射状結束線４ｂに張力を与えた状態を保ちながら結束する。この結束作業は、所謂ハッカーを用いてもよいし、嵌合片７と８との間には十分な空間１６が確保され障害物が存在しないので工具を用いずに素手で行うこともできる。また、補強筋載置部１３はスリーブ保持部５の上端位置以上の高さに配置されているので、放射状結束線４ｂを容易に水平に延ばすことができる。
【００３７】
最後に、同様の作業を繰り返し、スリーブ３と補強筋２とを４本の放射状結束線４ｂで連結し固定し、スリーブ３が一体化された補強筋２をスリーブ固定治具１から抜き取る。
【００３８】
このスリーブ３が一体化された補強筋２は布基礎の立ち上がり部（基礎梁）の所定の位置に設置され、近傍の主筋１７やせん断補強筋１８に結束線にて結束され固定される（図４を参照）。
【００３９】
上記構成のスリーブ固定治具１は、スリーブ３と共にコンクリート内に埋め殺しにする必要がないので繰り返し使用することができる。しかも、スリーブ固定治具１の他に特殊な機構や作業を必要とせず、鉄筋の結束作業に一般的に用いられている結束工具（所謂ハッカー）等を用いて或いは素手で作業ができるのでコストの削減に寄与する。
【００４０】
また、補強筋載置部１３に載置した補強筋２は、スリーブ固定治具１を載置した作業面１４よりも高い位置で浮いた状態となり、結束線４によるスリーブ３の固定は嵌合片７と８との間の障害物のない空間１６を利用して容易に行うことができ、作業効率が向上する。
【００４１】
更に、本実施形態のスリーブ固定治具１は、嵌合片７、８で分解可能な構成としているので未使用時には分解して重ねたり、分散することができ、収納スペースや運搬の為のスペースを削減することができる。
【００４２】
＜実施形態２＞
上記実施形態では、補強筋２を正方形状の外周筋２ａと、前記外周筋２ａの内部に配置され一体化された八角形状の内周筋２ｂとで構成しているが、単一の補強筋であっても、また、円形や他の多角形状であっても同様の構成により同様の作用効果が得られる。
【００４３】
＜実施形態３＞
上記実施形態では、突起部９（１１）を補強筋２の外周筋２ａと内接するように形成しているが、内周筋２ｂと外接するように形成しても良い（図５を参照）。この場合、図示するように、補強筋載置部１３は補強筋ズレ止め部１５の外方位置に配置されることになる。
【００４４】
また、補強筋２と外接、内接するように、つまり一組の突起部９と９（１１と１１）で補強筋２を挟み込むように形成しても良い（図６を参照）。
【００４５】
＜実施形態４＞
上記実施形態では、スリーブ保持部５に直接スリーブ３が接する構成としているが、前記スリーブ保持部５に小径スリーブ用のアダプタ１９を嵌め込み、スリーブ保持部５が嵌め込まれた小径スリーブ２０と前記アダプタ１９を介して内接する構成としても良い（図７を参照、請求項３記載の発明）。
【００４６】
アダプタ１９はスリーブ保持部５の内周形状に合わせて予め組み立て、或いは成形されたものでも良いし（図８を参照）、４枚の板材２１をスリーブ保持部５の内周面に当接するように嵌め込んで構成しても良い（図９を参照）。このように構成することでスリーブ固定治具１の汎用性を高めることができる。
【００４７】
＜実施形態５＞
上記実施形態では、１枚の補強筋保持部６に対し１個の突出部９（１１）を形成しているが、突起部９（１１）は、使用が想定される大きさや形状の異なる補強筋に対応させて、つまり所定の間隔を開けて複数形成することが可能である（図１０を参照、請求項４記載の発明）。このように構成することで、スリーブ固定治具１に新たな部材を付加することなく単一の部材構成で汎用性を高めることができる。
【００４８】
＜実施形態６＞
上記実施形態では、嵌合片７（８）に一組の切り欠き部１０（１２）を形成しているが、使用が想定されるスリーブ３の外径に応じて、複数組形成することが可能である（図１１を参照、請求項５記載の発明）。このように構成することで単一の部材構成で種々の径のスリーブに対応することができ、汎用性を高めることができる。
【００４９】
＜実施形態７＞
上記実施形態では、４枚の嵌合片７、８を組み立てた構成であるが、３枚の嵌合片を用いてスリーブ保持部５が平面視三角形状となるように構成することが可能であり、同様の作用効果を発揮することができる（図示は省略）。
【００５０】
＜実施形態８＞
上記実施形態では、分解可能な嵌合片７、８を組み立てた構成であるが、スリーブ保持部５を円筒形、或いは多角形の筒状に構成し、このスリーブ保持部５から複数の補強筋保持部６が放射状に延伸する一体的な構成としても良い（図示は省略）。
【００５１】
＜実施形態９＞
上記実施形態では、嵌合片７の下面部７ｂと嵌合片８の下面部８ｂとで平坦面を成し、作業面１４に全面的に接するように構成したが、スリーブ保持部５が宙に浮いた状態となるように、別途下方に突出した脚部を設けても良い（図示は省略）。
【００５２】
また、スリーブ保持部５の底部を閉じたり、スリーブ３の支持片を設けたりして前記スリーブ３を鉛直方向についても保持する（スリーブ３が作業面１４から浮いた状態で保持する）ように構成しても良い（図示は省略）。このように構成することで作業面１４が平坦でない場合でもスリーブ３と補強筋２との位置関係を一定に保つことができる。
【産業上の利用可能性】
【００５３】
本発明のスリーブ固定治具は、環状に形成された鉄筋から成る補強筋の内部にスリーブを配置し、同スリーブを結束線で前記補強筋に固定する際に利用可能である。
【図面の簡単な説明】
【００５４】
【図１】本発明の実施形態１に係るスリーブ固定治具を概略的に示す斜視図である。
【図２】本発明の実施形態１に係るスリーブ固定治具を示す構造図である。
【図３】本発明の実施形態１に係るスリーブ固定治具を示す立面図である。
【図４】スリーブが一体化された補強筋が布基礎の立ち上がり部（基礎梁）の所定の位置に設置され、近傍の主筋やせん断補強筋に結束線にて結束された状態を示す斜視図である。
【図５】本発明の実施形態３に係るスリーブ固定治具を示す立面図である。
【図６】本発明の実施形態３に係る、異なるスリーブ固定治具を示す立面図である。
【図７】本発明の実施形態４に係るスリーブ固定治具を示す立面図である。
【図８】本発明の実施形態４に係るスリーブ固定治具を示す構造図である。
【図９】本発明の実施形態４に係る、異なるスリーブ固定治具を示す構造図である。
【図１０】本発明の実施形態５に係るスリーブ固定治具を示す立面図である。
【図１１】本発明の実施形態６に係るスリーブ固定治具を示す立面図である。
【符号の説明】
【００５５】
１  スリーブ固定治具
２  補強筋
３  スリーブ
４  結束線
５  スリーブ保持部
６  補強筋保持部
７、８  嵌合片
７ａ、８ａ  上面部
７ｂ、８ｂ  下面部
９、１１  突出部
１０、１２  切り欠き部
１３  補強筋載置部
１５  補強筋ズレ止め部
１９  アダプタ
２０  小径スリーブ
【図１】
2008214926.tif 000003
【図２】
2008214926.tif 000004
【図３】
2008214926.tif 000005
【図４】
2008214926.tif 000006
【図５】
2008214926.tif 000007
【図６】
2008214926.tif 000008
【図７】
2008214926.tif 000009
【図８】
2008214926.tif 000010
【図９】
2008214926.tif 000011
【図１０】
2008214926.tif 000012
【図１１】
2008214926.tif 000013